(57)【要約】【課題】本発明は電気溶接用保護眼鏡を開示した。  【解決手段】リム及び前記リムの両側端面に左右対称的に固定的に設置された固定ロッドを含み、前記固定ロッドの後側にはテンプルがヒンジにより連結され、前記リムの中には前後に貫通している光透り孔が左右対称的に設置され、前記リムの中には前記光透り孔に連通しているレンズチャンバが左右対称的に設置され、前記レンズチャンバの中にはレンズが装着され、本発明には複数の組の遮光シートが設置され、同時に本発明にはまた光線センサが設置され、レンズを透過する光線を測ることができ、射込む光線の強度が設定値より低い時、自動的に遮光シートの数を調節でき、これにより射込む光線の強度を調節することを実現し、実用性をはるかに上げる。【選択図】図１
2020182786.tif 000002
【特許請求の範囲】
【請求項１】
正面視で、リム及び前記リムの両側端面に左右対称的に固定的に設置された固定ロッドを含み、前記固定ロッドの後側にはテンプルがヒンジにより連結され、前記リムの中には前後に貫通している光透り孔が左右対称的に設置され、前記リムの中には前記光透り孔に連通しているレンズチャンバが左右対称的に設置され、前記レンズチャンバの中にはレンズが装着され、前記レンズの中にはせめて二組の装着溝が設置され、左側の前記レンズチャンバの後壁には光線センサが固定的に設置され、前記光線センサは光線が前記レンズを透過する強度を測ることができ、前記リムの中には前記レンズチャンバの上側に位置しており、且つ前記レンズチャンバに連通している伝動チャンバが左右対称的に設置され、前記伝動チャンバの左右内壁の間には回転軸が回転できるように設置され、前記回転軸が前記装着溝の上側に設置され、且つ前記回転軸の数と前記装着溝の数とが同じであり、前記回転軸にはリールが固定的に設置され、前記リールには遮光シートが巻きつくように設置され、前記遮光シートの下側が前記装着溝の中に伸びており、前記伝動チャンバの中には動力機構が設置され、前記動力機構は前記光線センサと通電できるように連結されたモータを含み、前記動力機構が前記回転軸と伝動できるように連結され、前記光線センサは光線の強度が設定値より高いまたは低いということを測った時、前記動力機構が前記リールを駆動して回転させ、これにより前記遮光シートを巻くまたは出すことを特徴とする電気溶接用保護眼鏡。
【請求項２】
前記動力機構は前記伝動チャンバの内壁の中に回転できるように設置された回り軸を含み、前記回り軸が左側の前記伝動チャンバを貫通して右側の伝動チャンバの中まで伸びており、前記モータが左側の前記伝動チャンバの左壁に固定的に設置され、前記モータの右側には動力軸が動力が伝達できるように連結され、前記回転軸のうち互いに離れている一端にはギヤが固定的に設置され、前記伝動チャンバの中には回転盤が設置され、前記回転盤の中には開口が向き合っているラックチャンバが設置され、前記ギヤが前記ラックチャンバの中に設置され、前記ラックチャンバの内壁には弧状ラックが固定的に設置され、前記弧状ラックと前記ギヤとが噛み合い始めるから噛み合い終わるまでの期間に前記遮光シートを連動させて完全に収めるまたは出し、前記回転盤のうち互いに離れている端面には伝動軸が固定的に設置され、左側の前記伝動軸が前記動力軸と固定的に連結され、前記伝動軸には下プーリが固定的に設置され、前記回り軸には左右対称の上プーリが固定的に設置され、前記上プーリと前記下プーリとの間はベルトにより伝動できるように連結されていることを特徴とする請求項１に記載の電気溶接用保護眼鏡。
【請求項３】
前記装着溝の左右内壁にはばね溝が設置され、前記ばね溝の中には連結ブロックが上下にスライドできるように設置され、前記連結ブロックが前記遮光シートと固定的に連結され、前記連結ブロックと前記ばね溝の底壁との間にはばねが連結され、前記遮光シートが前記装着溝の中で完全に広げられた後、前記ばねが引っ張っていなく伸縮していない状態にあり、前記回り軸にはラチェットギヤが固定的に設置され、前記伝動チャンバの中にはラチェット歯止めが設置されていることを特徴とする請求項２に記載の電気溶接用保護眼鏡。
【請求項４】
前記回り軸が前記リムの左側まで伸びており、前記回り軸の左端にはつまみが固定的に設置され、前記リムの左端面にはスライド溝が設置され、前記スライド溝の中には制御スライダがスライドできるように設置され、前記制御スライダと前記スライド溝の底壁との間には復帰ばねが設置され、前記制御スライダの右端面には連結ロッドが固定的に設置され、前記連結ロッドの右端が前記伝動チャンバの中まで伸びており、前記ラチェット歯止めが前記連結ロッドの右端に設置され、前記つまみを回転させることにより手動で調整できることを特徴とする請求項１に記載の電気溶接用保護眼鏡。
【請求項５】
前記レンズの面積が前記レンズチャンバの開口面積より大きいことを特徴とする請求項１に記載の電気溶接用保護眼鏡。
【発明の詳細な説明】
【技術分野】
【０００１】
本発明は保護眼鏡分野を取り上げて、具体的には電気溶接用保護眼鏡である。
【背景技術】
【０００２】
溶接の作業を行う時、体を害する電気弧光が生じ、保護眼鏡をかけて保護を行い、異なる種類の溶接が生じた光線の強度が違い、従来の保護眼鏡は遮光度を調整できないため、溶接の光線の強度が低い時、同じ保護眼鏡を使用すると適応しにくく、交換する必要があり、上記の問題に対し、本装置を提出した。
【先行技術文献】
【特許文献】
【０００３】
【特許文献１】中国特許出願公開第１０２３４９８４５号明細書
【発明の概要】
【発明が解決しようとする課題】
【０００４】
本発明は電気溶接用保護眼鏡を提供し、従来技術における上記欠点を解消することを目的とする。
【課題を解決するための手段】
【０００５】
本発明は電気溶接用保護眼鏡であり、リム及び前記リムの両側端面に左右対称的に固定的に設置された固定ロッドを含み、前記固定ロッドの後側にはテンプルがヒンジにより連結され、前記リムの中には前後に貫通している光透り孔が左右対称的に設置され、前記リムの中には前記光透り孔に連通しているレンズチャンバが左右対称的に設置され、前記レンズチャンバの中にはレンズが装着され、前記レンズの中にはせめて二組の装着溝が設置され、左側の前記レンズチャンバの後壁には光線センサが固定的に設置され、前記光線センサは光線が前記レンズを透過する強度を測ることができ、前記リムの中には前記レンズチャンバの上側に位置しており、且つ前記レンズチャンバに連通している伝動チャンバが左右対称的に設置され、前記伝動チャンバの左右内壁の間には回転軸が回転できるように設置され、前記回転軸が前記装着溝の上側に設置され、且つ前記回転軸の数と前記装着溝の数とが同じであり、前記回転軸にはリールが固定的に設置され、前記リールには遮光シートが巻きつくように設置され、前記遮光シートの下側が前記装着溝の中に伸びており、前記伝動チャンバの中には動力機構が設置され、前記動力機構は前記光線センサと通電できるように連結されたモータを含み、前記動力機構が前記回転軸と伝動できるように連結され、前記光線センサは光線の強度が設定値より高いまたは低いということを測った時、前記動力機構が前記リールを駆動して回転させ、これにより前記遮光シートを巻くまたは出す。
【０００６】
好ましくは、前記動力機構は前記伝動チャンバの内壁の中に回転できるように設置された回り軸を含み、前記回り軸が左側の前記伝動チャンバを貫通して右側の伝動チャンバの中まで伸びており、前記モータが左側の前記伝動チャンバの左壁に固定的に設置され、前記モータの右側には動力軸が動力が伝達できるように連結され、前記回転軸のうち互いに離れている一端にはギヤが固定的に設置され、前記伝動チャンバの中には回転盤が設置され、前記回転盤の中には開口が向き合っているラックチャンバが設置され、前記ギヤが前記ラックチャンバの中に設置され、前記ラックチャンバの内壁には弧状ラックが固定的に設置され、前記弧状ラックと前記ギヤとが噛み合い始めるから噛み合い終わるまでの期間に前記遮光シートを連動させて完全に収めるまたは出し、前記回転盤のうち互いに離れている端面には伝動軸が固定的に設置され、左側の前記伝動軸が前記動力軸と固定的に連結され、前記伝動軸には下プーリが固定的に設置され、前記回り軸には左右対称の上プーリが固定的に設置され、前記上プーリと前記下プーリとの間はベルトにより伝動できるように連結されている。
【０００７】
好ましくは、前記装着溝の左右内壁にはばね溝が設置され、前記ばね溝の中には連結ブロックが上下にスライドできるように設置され、前記連結ブロックが前記遮光シートと固定的に連結され、前記連結ブロックと前記ばね溝の底壁との間にはばねが連結され、前記遮光シートが前記装着溝の中で完全に広げられた後、前記ばねが引っ張っていなく伸縮していない状態にあり、前記回り軸にはラチェットギヤが固定的に設置され、前記伝動チャンバの中にはラチェット歯止めが設置されている。
【０００８】
好ましくは、前記回り軸が前記リムの左側まで伸びており、前記回り軸の左端にはつまみが固定的に設置され、前記リムの左端面にはスライド溝が設置され、前記スライド溝の中には制御スライダがスライドできるように設置され、前記制御スライダと前記スライド溝の底壁との間には復帰ばねが設置され、前記制御スライダの右端面には連結ロッドが固定的に設置され、前記連結ロッドの右端が前記伝動チャンバの中まで伸びており、前記ラチェット歯止めが前記連結ロッドの右端に設置され、前記つまみを回転させることにより手動で調整できる。
【０００９】
好ましくは、前記レンズの面積が前記レンズチャンバの開口面積より大きい。
【発明の効果】
【００１０】
以上のように、本発明には複数の組の遮光シートが設置され、同時に本発明にはまた光線センサが設置され、レンズを透過する光線を測ることができ、射込む光線の強度が設定値より低い時、自動的に遮光シートの数を調節でき、これにより射込む光線の強度を調節することを実現し、実用性をはるかに上げる。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の電気溶接用保護眼鏡の全体構成模式図
【図２】図２は図１の上面図
【図３】図３は図１の断面図
【図４】図４は図３のＡ―Ａの構成模式図
【図５】図５は図３のＢ―Ｂの構成模式図
【図６】図６は図３のＣ―Ｃの構成模式図
【図７】図７は図３のＤの拡大模式図
【発明を実施するための形態】
【００１３】
以下は付図説明と実施例を交えて本発明について更に説明し、本発明の方式は以下の実施例を含むが、これのみに限定されるものではない。    
【００１４】
図１〜７を参照し、本発明の電気溶接用保護眼鏡は、リム１０及び前記リム１０の両側端面に左右対称的に固定的に設置された固定ロッド１２を含み、前記固定ロッド１２の後側にはテンプル１４がヒンジにより連結され、前記リム１０の中には前後に貫通している光透り孔１３が左右対称的に設置され、前記リム１０の中には前記光透り孔１３に連通しているレンズチャンバ１５が左右対称的に設置され、前記レンズチャンバ１５の中にはレンズ２０が装着され、前記レンズ２０の中にはせめて二組の装着溝３５が設置され、左側の前記レンズチャンバ１５の後壁には光線センサ３６が固定的に設置され、前記光線センサ３６は光線が前記レンズ２０を透過する強度を測ることができ、前記リム１０の中には前記レンズチャンバ１５の上側に位置しており、且つ前記レンズチャンバ１５に連通している伝動チャンバ３２が左右対称的に設置され、前記伝動チャンバ３２の左右内壁の間には回転軸２９が回転できるように設置され、前記回転軸２９が前記装着溝３５の上側に設置され、且つ前記回転軸２９の数と前記装着溝３５の数とが同じであり、前記回転軸２９にはリール３０が固定的に設置され、前記リール３０には遮光シート１６が巻きつくように設置され、前記遮光シート１６の下側が前記装着溝３５の中に伸びており、前記伝動チャンバ３２の中には動力機構１００が設置され、前記動力機構１００は前記光線センサ３６と通電できるように連結されたモータ３３を含み、前記動力機構１００が前記回転軸２９と伝動できるように連結され、前記光線センサ３６は光線の強度が設定値より高いまたは低いということを測った時、前記動力機構１００が前記リール３０を駆動して回転させ、これにより前記遮光シート１６を巻くまたは出す。    
【００１５】
有益的には、前記動力機構１００は前記伝動チャンバ３２の内壁の中に回転できるように設置された回り軸３１を含み、前記回り軸３１が左側の前記伝動チャンバ３２を貫通して右側の伝動チャンバ３２の中まで伸びており、前記モータ３３が左側の前記伝動チャンバ３２の左壁に固定的に設置され、前記モータ３３の右側には動力軸３４が動力が伝達できるように連結され、前記回転軸２９のうち互いに離れている一端にはギヤ２１が固定的に設置され、前記伝動チャンバ３２の中には回転盤２６が設置され、前記回転盤２６の中には開口が向き合っているラックチャンバ２８が設置され、前記ギヤ２１が前記ラックチャンバ２８の中に設置され、前記ラックチャンバ２８の内壁には弧状ラック２７が固定的に設置され、前記弧状ラック２７と前記ギヤ２１とが噛み合い始めるから噛み合い終わるまでの期間に前記遮光シート１６を連動させて完全に収めるまたは出し、前記回転盤２６のうち互いに離れている端面には伝動軸２２が固定的に設置され、左側の前記伝動軸２２が前記動力軸３４と固定的に連結され、前記伝動軸２２には下プーリ２３が固定的に設置され、前記回り軸３１には左右対称の上プーリ２５が固定的に設置され、前記上プーリ２５と前記下プーリ２３との間はベルト２４により伝動できるように連結されている。
【００１６】
有益的には、前記装着溝３５の左右内壁にはばね溝１７が設置され、前記ばね溝１７の中には連結ブロック１８が上下にスライドできるように設置され、前記連結ブロック１８が前記遮光シート１６と固定的に連結され、前記連結ブロック１８と前記ばね溝１７の底壁との間にはばね１９が連結され、前記遮光シート１６が前記装着溝３５の中で完全に広げられた後、前記ばね１９が引っ張っていなく伸縮していない状態にあり、前記回り軸３１にはラチェットギヤ４２が固定的に設置され、前記伝動チャンバ３２の中にはラチェット歯止め４１が設置されている。
【００１７】
有益的には、前記回り軸３１が前記リム１０の左側まで伸びており、前記回り軸３１の左端にはつまみ１１が固定的に設置され、前記リム１０の左端面にはスライド溝３８が設置され、前記スライド溝３８の中には制御スライダ３７がスライドできるように設置され、前記制御スライダ３７と前記スライド溝３８の底壁との間には復帰ばね３９が設置され、前記制御スライダ３７の右端面には連結ロッド４０が固定的に設置され、前記連結ロッド４０の右端が前記伝動チャンバ３２の中まで伸びており、前記ラチェット歯止め４１が前記連結ロッド４０の右端に設置され、前記つまみ１１を回転させることにより手動で調整できる。
【００１８】
有益的には、前記レンズ２０の面積が前記レンズチャンバ１５の開口面積より大きい。
【００１９】
本出願の電気溶接用保護眼鏡の実現方法は、以下のステップを含む：
【００２０】
初期状態において、二組の遮光シート１６がいずれも完全に装着溝３５の中に位置している。
【００２１】
眼鏡をかけた後、電源を始動し、この時に溶接を行うことができ、溶接する時に生じた火の光がレンズ２０と遮光シート１６とにより光線センサ３６に射し、光線センサ３６が光線の射込む強度が設定値より小さいことを測る時、光線センサ３６が信号を発し、これによりモータ３３を始動し、モータ３３が動力軸３４と伝動軸２２とにより回転盤２６を連動させて回転させ、これにより弧状ラック２７が一つのギヤ２１と噛み合い、これにより一つの遮光シート１６をリール３０に巻きつけ、これによりレンズ２０を透過する光線を増やし、光線センサ３６が光線の射込む強度が依然として設定値より小さいことを測る時、回転盤２６が回転し続けてほかの遮光シート１６を収める。
【００２２】
手動で調節する時、制御スライダ３７をスライドさせること又はつまみ１１を回転させることにより調節を行うことができる。
【００２３】
以上のように、本発明には複数の組の遮光シートが設置され、同時に本発明にはまた光線センサが設置され、レンズを透過する光線を測ることができ、射込む光線の強度が設定値より低い時、自動的に遮光シートの数を調節でき、これにより射込む光線の強度を調節することを実現し、実用性をはるかに上げる。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182786.tif 000003
【図２】
2020182786.tif 000004
【図３】
2020182786.tif 000005
【図４】
2020182786.tif 000006
【図５】
2020182786.tif 000007
【図６】
2020182786.tif 000008
【図７】
2020182786.tif 000009
【手続補正書】
【提出日】令和1年8月22日(2019.8.22)
【手続補正１】
【補正対象書類名】特許請求の範囲
【補正対象項目名】請求項４
【補正方法】変更
【補正の内容】
【請求項４】
前記回り軸が前記リムの左側まで伸びており、前記回り軸の左端にはつまみが固定的に設置され、前記リムの左端面にはスライド溝が設置され、前記スライド溝の中には制御スライダがスライドできるように設置され、前記制御スライダと前記スライド溝の底壁との間には復帰ばねが設置され、前記制御スライダの右端面には連結ロッドが固定的に設置され、前記連結ロッドの右端が前記伝動チャンバの中まで伸びており、前記ラチェット歯止めが前記連結ロッドの右端に設置され、前記つまみを回転させることにより手動で調整できることを特徴とする請求項３に記載の電気溶接用保護眼鏡。